(57)【要約】【課題】小型化された圧力スイッチにおいても、本体カバーの取り外しを行わずに、外部から簡単に圧力調整操作を行えるようにした圧力スイッチを提供すること。【解決手段】印加される流体圧力により偏位するブルドン管３にてスイッチ素子５を操作して設定圧力を感知するように構成した圧力スイッチにおいて、スイッチ素子５を配設したスイッチ取付台６を、ブルドン管３に対し接離方向に移動可能に調整金具７を介して取り付け、かつ本体ケース１の外部から調整金具７を調整操作できるように構成する。【選択図】  図１
2004206897.tif 000002
【特許請求の範囲】
【請求項１】
印加される流体圧力により偏位するブルドン管にてスイッチ素子を操作して設定圧力を感知するように構成した圧力スイッチにおいて、スイッチ素子を配設したスイッチ取付台を、ブルドン管に対し接離方向に移動可能に調整金具を介して取り付け、かつ本体ケースの外部から前記調整金具を調整操作できるように構成したことを特徴とする圧力スイッチ。
【請求項２】
本体ケースの調整金具と対向する位置に、調整操作工具を挿入するための孔を形成し、栓を着脱可能に装着したことを特徴とする請求項１記載の圧力スイッチ。
【請求項３】
栓を、変形できる軟質合成樹脂又はゴムにて形成したことを特徴とする請求項１又は２記載の圧力スイッチ。
【発明の詳細な説明】
【０００１】
【発明の属する技術分野】
本発明は、圧力スイッチに関し、特に、油圧機器における圧力制御を行うようにした圧力スイッチを、該圧力スイッチ外部からの簡易な操作で、作動設定圧力の調整を確実に行えるようにした圧力スイッチに関するものである。
【０００２】
【従来の技術】
従来、ブルドン管式の圧力スイッチは、圧力機器製造メーカーにおいて所定の圧力機器に、予め設定した圧力で作動するように調整して取り付けられ、市販又はリースされている。
この圧力スイッチを取り付けた圧力機器を、使用する工場や事業所において、初期設定値より異なる設定値で作動させる場合、その使用に際し、作動設定圧力を調整する必要が生じる。この場合、圧力機器或いはその配管系に取り付けた圧力スイッチのカバーを取り外し、圧力スイッチ内部に配設されている調整具等を、工具にて操作することにより所定圧力にて作動するよう調整している。
【０００３】
【発明が解決しようとする課題】
ところで、上記従来の圧力スイッチにおいては、圧力スイッチのカバーを取り外して内部において設定圧力の調整を行うように構成されているため、圧力機器の構造、その取付位置などにより場合によっては、圧力機器に取り付けられた後においては、該圧力スイッチのカバーを取り外す空間を有しないことがあり、このような場合、油圧配管や圧力機器の一部を取り外した後、圧力スイッチのカバーの取り外しを行い、圧力調整後再び組み立てる必要があり、その作業は困難なものとなり、また手数が掛かると言う問題点があった。
また、近年のように圧力スイッチの小型化が要求される場合、圧力スイッチ内部構成が従来と同じものでは、操作方式も従来と同じ方式となり、小型化するにも限度を有するという問題があった。
【０００４】
本発明は、上記従来の圧力スイッチの有する問題点に鑑み、小型化された圧力スイッチにおいても、本体カバーの取り外しを行わずに、外部から簡単に圧力調整操作を行えるようにした圧力スイッチを提供することを目的とする。
【０００５】
【課題を解決するための手段】
上記目的を達成するため、本発明の圧力スイッチは、印加される流体圧力により偏位するブルドン管にてスイッチ素子を操作して設定圧力を感知するように構成した圧力スイッチにおいて、スイッチ素子を配設したスイッチ取付台を、ブルドン管に対し接離方向に移動可能に調整金具を介して取り付け、かつ本体ケースの外部から前記調整金具を調整操作できるように構成したことを特徴とする。
【０００６】
この圧力スイッチは、スイッチ素子を配設したスイッチ取付台を、ブルドン管に対し接離方向に移動可能に調整金具を介して取り付け、かつ本体ケースの外部から前記調整金具を調整操作できるように構成しているので、圧力スイッチの構成を簡単とすることができるため、小型化が可能となり、さらには本体ケースの外部から直接操作することができ、作業性が向上する。
【０００７】
この場合、本体ケースの調整金具と対向する位置に、調整操作工具を挿入するための孔を形成し、栓を着脱可能に装着して構成することができる。
【０００８】
これにより、本体ケースに装着した栓を取り外すだけで、本体ケース外部からドライバーなどの調整操作工具を直接挿入して簡単に作動圧力の調整操作が行えるので、圧力スイッチの小型化を促進することができるとともに、従来のように調整毎に圧力スイッチのカバーの着脱作業を省略することができる。
【０００９】
また、この場合、栓を、変形できる軟質合成樹脂又はゴムにて形成することができる。
【００１０】
これにより、簡単に栓を製造できるとともに、栓の着脱に一切工具を用いることなく簡単に行え、また脱抜時以上の力を加えない限り、本体ケースに装着するだけで、妄りに脱抜することがないので、本体ケース内へのごみなどの侵入を防ぐことができる。
【００１１】
【発明の実施の形態】
以下、本発明の圧力スイッチの実施の形態を図面に基づいて説明する。
【００１２】
図１に、本発明の圧力スイッチの一実施例を示す。
この圧力スイッチＡは、円形その他の形状をした本体ケース１に株２を取り付け、この株２にブルドン管３を、前記本体ケース内に収まるようにしてビス止めなどにて固定するとともに、該ブルドン管３の側面に添うようにして前記株２に取付台４をビス止め等にて固定し、ブルドン管３の偏位により押圧操作するようにしたスイッチ素子５、例えばマイクロスイッチ（以下、「マイクロスイッチ」と言う。）を固定し、かつ圧力を設定するようにしたスイッチ取付台６を、前記取付台４に調節金具７、例えば調整用のスクリューねじにてブルドン管３に対し、接離方向に移動可能にして取り付け、この調整金具７を本体ケース外部から調整操作が行えるように、本体ケース１に栓８を着脱可能に装着して構成する。
【００１３】
本体ケース１は、少なくとも前面が開口しており、この開口面に表面カバー板又は表示板１１を添わせ、本体ケース１内を閉塞するようにするとともに、これにリング状の固定用カバー１２を被せて表面カバー板１１を本体ケース１に固定するようにする。
なお、圧力スイッチＡの取り付けは、従来と同じように、本体ケース１の外部に突出するようにして取り付けた株２を圧力機器の一部又は配管に螺合するようして行う。
【００１４】
本体ケース１内には、ブルドン管３と該ブルドン管３の前面に添うようにして取付台４を配設し、該取付台４を株２（又は本体ケース１）にビス止めにて固定する。この取付台４は、特に限定されるものではないが、金属製の平板をＬ字形に屈曲し、その一片で大きい側の取付片４１を株２に添わせてビス止めし、屈曲した他方の小片側を本体ケース１の前面側に突出するようにした突片４２に、望ましくは該突片４２のほぼ中央部に調整金具取付用の孔４３を穿ち、この孔４３に調整金具７を挿通するようにして取り付ける。
また、突片４２には、スイッチ取付台６の最大許容移動位置を規制するためのストッパ機構９を取り付ける。
【００１５】
金属又は合成樹脂製の平板をＬ字形に屈曲して構成するスイッチ取付台６は、その一片６１にマイクロスイッチ５を取り付けるとともに、他片６２を前記取付台４の突片４２と対峙するように平行させ、かつ該突片４２と接離方向に移動可能とするように調整金具７を介して配設する。これにより、マイクロスイッチ５は、ブルドン管の先端に対し、接離方向に移動するようにする。
また、このスイッチ取付台６の他片６２には、前記調節金具７の先端部を繋着又は螺合して取り付け、調節金具７の回動操作によりスイッチ取付台６が移動、即ち突片４２に対し接離方向に移動するようにする。これにより、マイクロスイッチ５は、ブルドン管５の先端に対して、接離方向に移動するようになる。
スイッチ取付台６の一片６１に取り付けられたマイクロスイッチ５は、その操作片５１と、前記ブルドン管３の先端とを対峙するように配設し、これにより流体圧力が設定値に達したとき、この流体圧力の変化にて偏位するブルドン管３の先端にてマイクロスイッチ５の操作片５１を押圧するようにする。
【００１６】
調節金具７は、回動操作によりスイッチ取付台６を移動するようにする構成であれば、特に限定されるものではないが、例えば、図示のように、スクリューねじ７１と、このスクリューねじ７１の外周部に嵌挿したコイルばね７２と、必要に応じて固定用のナット７３とより構成する。
スクリューねじ７１は、取付台４の突片４２とは螺合せずに挿通して取り付けるが、スイッチ取付台６の他片６２とは螺合するようにする。このため、スイッチ取付台６の他片６２には、スクリューねじ螺合用のねじ孔６３を穿設する。これにより、スクリューねじ７１をドライバー等の調整操作工具にて回動することにより、その回動方向及び回動量に応じてスイッチ取付台６がブルドン管５の先端に対して、接離方向に移動するようにする。
なお、スイッチ取付台６の移動が、スクリューねじ７１の回動操作により、円滑、かつ正確に移動するように、取付台４の突片４２とスイッチ取付台６の他片６間に、圧縮可能状態にしてコイルばね７２を配設する。
【００１７】
マイクロスイッチ５には、図示省略したが、従来と同じように、電気的に配線して、流体圧力の変化にてブルドン管３が設定量まで偏位したとき、マイクロスイッチ５が作動して設定圧力に達したことを、特に限定されるものではないが、報知又は警報を発するようにするか、又は安全を確保するために圧力機器の電気回路を遮断するように構成する。
【００１８】
また、本体ケース１には、その外周面で、調節金具７と対向する位置に、調整工具（図示省略）、例えばドライバーなどを挿入するための孔１ｈを形成し、この孔１ｈに着脱可能に栓８を装着する。この孔１ｈは、特に限定されるものではないが、例えば円形の孔を穿設し、これに変形可能な軟質合成樹脂又はゴムにて形成した栓８を着脱可能に装着できるようにし、これにより本体ケース内にごみなどの侵入を防ぎ、圧力調整が必要なときには、簡単に取り外して作動圧力の調整を本体ケース外部から行えるようにする。
【００１９】
これにより、本体ケース１に装着した栓８を取り外すだけで、本体ケース外部からドライバーなどの調整操作工具を挿入して簡単に作動圧力の調整が行え、圧力スイッチＡの小型化を促進することができるとともに、従来のように調整毎に圧力スイッチの着脱作業を省略することができる。
また、簡単に栓を製造できるとともに、栓の着脱に一切工具を用いることなく簡単に行え、また脱抜時以上の力を加えない限り、本体ケースに装着するだけで、妄りに脱抜することがないので、本体ケース内にごみ等の侵入を防止することができる。
【００２０】
以上、本発明の圧力スイッチについて、その実施例に基づいて説明したが、本発明は上記実施例に記載した構成に限定されるものではなく、例えばスイッチ素子としてのマイクロスイッチの代わりに圧電スイッチ等を使用し、その趣旨を逸脱しない範囲において適宜その構成を変更することができるものである。
【００２１】
【発明の効果】
請求項１記載の発明によれば、スイッチ素子を配設したスイッチ取付台を、ブルドン管に対し接離方向に移動可能に調整金具を介して取り付け、かつ本体ケースの外部から前記調整金具を調整操作できるように構成しているので、圧力スイッチの構成を簡単とすることができるため、小型化が可能となり、さらには本体ケースの外部から直接操作することができ、作業性が向上する。
【００２２】
また、請求項２記載の発明によれば、本体ケースに装着した栓を取り外すだけで、本体ケース外部からドライバーなどの工具を挿入して簡単に作動圧力の調整が行えるので、圧力スイッチの小型化を促進することができるとともに、従来のように調整毎に圧力スイッチの着脱作業を省略することができる。
【００２３】
また、請求項３記載の発明によれば、変形できる軟質合成樹脂又はゴムにて栓を形成しているので、栓の製造が簡単にできるとともに、栓の着脱に一切工具を用いることなく簡単に行え、また脱抜時以上の力を加えない限り、本体ケースに装着するだけで、妄りに脱抜することがなく、本体ケース内へのごみなどの侵入を防ぐことができる。
【図面の簡単な説明】
【図１】本発明の圧力スイッチの一実施例を示し、（ａ）は表面の表面カバー板を取り外した状態の正面図、（ｂ）は側面縦断側図である。
【符号の説明】
Ａ    圧力スイッチ
１    本体ケース
２    株
３    ブルドン管
４    取付台
４２  取付台の突片
５    スイッチ素子（マイクロスイッチ）
６    スイッチ取付台
６２  スイッチ取付台の他片
７    調節金具
７１  スクリューねじ
７２  コイルばね
８    栓
９    ストッパ機構
【図１】
2004206897.tif 000003